(57)【要約】  本発明は、セキュリティ要素（１１）を備えるセキュリティシートを製造する方法、セキュリティシートを形成するためのコア構造（１０）、そのようなコア構造（１０）を含むスタック（２９）、コア構造（１０）またはスタック（２９）を備えるセキュリティシート、およびセキュリティシートを備えるセキュリティ文書に関する。少なくとも一つの穿孔（２０）は、プラスチックで構成された少なくとも一つのコア層（１２）を通って、第１コア面（１３）から第２コア面（１４）へと、形成される。セキュリティ要素（１１）は、セキュリティ要素（１１）が少なくとも一つのコア層（１２）を通って、第１コア面（１３）から第２コア面（１４）へと、延びるように、少なくとも一つの穿孔（２０）を通って供給される。セキュリティ要素（１１）の少なくとも一つの第１領域（１７）は、第１コア面（１３）の一部の上に配置され、セキュリティ要素（１１）の少なくとも一つの第２領域（１８）は、第２コア面（１４）の一部の上に配置される。【選択図】図１Ｃ
2020535988.tif 000002
【特許請求の範囲】
【請求項１】
少なくとも一つの穿孔を、プラスチックで構成された少なくとも一つのコア層を、第１コア面から第２コア面へと、通って形成するステップと、
セキュリティ要素が前記第１コア面から前記第２コア面へと前記少なくとも一つのコア層を通って延びるように、前記少なくとも一つの穿孔を通って前記セキュリティ要素を供給するステップと、
前記第１コア面の一部の上に前記セキュリティ要素の少なくとも一つの第１領域を配置し、前記第２コア面の一部の上に前記セキュリティ要素の少なくとも一つの第２領域を配置するステップとを含む、
セキュリティシートを製造する方法。
【請求項２】
複数の位置で前記少なくとも一つのコア層を通って延びるように前記セキュリティ要素を配置するステップと、隣接する位置の間に、前記第１コア面の一部の上に第１領域を配置し、または前記第２コア面の一部の上に第２領域を配置するステップとを含む、請求項１に記載の方法。
【請求項３】
前記少なくとも一つの穿孔または前記少なくとも一つの穿孔のそれぞれをタブとして形成するステップと、前記タブの前記第１コア面の上に第１領域を配置し、前記タブに隣接する前記第２コア面の上に第２領域を配置することで、またはその逆に配置することで、前記少なくとも一つの穿孔または前記少なくとも一つの穿孔のそれぞれを２回通って前記セキュリティ要素を供給するステップとをさらに含む、請求項１または請求項２に記載の方法。
【請求項４】
前記第１コア面および／または前記第２コア面の上に、プラスチックで構成された少なくとも一つの追加プラスチック層を配置するステップをさらに含む、請求項１から請求項３のいずれか一項に記載の方法。
【請求項５】
前記少なくとも一つのコア層、セキュリティ要素、および存在する場合は少なくとも一つの追加プラスチック層をともにラミネートするステップを含む、請求項１から請求項３のいずれか一項に記載の方法。
【請求項６】
前記少なくとも一つのコア層、セキュリティ要素、および存在する場合は少なくとも一つの追加プラスチック層に個人情報を付けるステップを含む、請求項１から請求項５のいずれか一項に記載の方法。
【請求項７】
前記少なくとも一つのセキュリティ要素は、少なくとも一つのセキュリティスレッド、帯、パッチまたはホイルを備える、請求項１から請求項６のいずれか一項に記載の方法。
【請求項８】
プラスチックで構成され、第１コア面および第２コア面、並びに少なくとも一つの穿孔を含む少なくとも一つのコア層と、
前記第１コア面から前記第２コア面へと前記少なくとも一つのコア層の前記少なくとも一つの穿孔を通って延び、前記第１コア面の一部を覆う少なくとも一つの第１領域および前記第２コア面の一部を覆う少なくとも一つの第２領域を備えるセキュリティ要素とを備える、
セキュリティシートを形成するためのコア構造。
【請求項９】
前記少なくとも一つの穿孔は、前記少なくとも一つのコア層であらかじめ形成、切断、打ち抜きおよび／または押し抜きされる、請求項８に記載のコア構造。
【請求項１０】
前記少なくとも一つのコア層の少なくとも一部は、前記セキュリティ要素の少なくとも一つの第１領域および／または第２領域に隣接して、前記少なくとも一つの第１領域が前記第２コア面の反射光で見ることができない、および／または前記少なくとも一つの第２領域が前記第１コア面の反射光で見ることができないように、不透明である、請求項８または請求項９に記載のコア構造。
【請求項１１】
前記セキュリティ要素は、複数の位置で前記少なくとも一つのコア層を通って延び、隣接する位置の間に、前記第１コア面の一部を覆う第１領域または前記第２コア面の一部を覆う第２領域を備える、請求項８から請求項１０のいずれか一項に記載のコア構造。
【請求項１２】
前記少なくとも一つの穿孔または前記少なくとも一つの穿孔のそれぞれは、タブを定め、前記セキュリティ要素は、前記セキュリティ要素の第２領域が前記タブの前記第２コア面の少なくとも一部を覆い、前記セキュリティスレッドの第１領域が前記タブに隣接するまたは隣接するタブの間の前記第１コア面の少なくとも一部を覆うように、またはその逆を覆うように、前記少なくとも一つの穿孔または前記少なくとも一つの穿孔のそれぞれを２回通って延びている、請求項８から請求項１１のいずれか一項に記載のコア構造。
【請求項１３】
前記少なくとも一つの穿孔は、前記少なくとも一つのコア層および／または前記少なくとも一つのコア層の隣接細長片の当接エッジを通る少なくとも一つのスロットを備える、請求項８から請求項１１のいずれか一項に記載のコア構造。
【請求項１４】
前記セキュリティ要素は、積層中に前記少なくとも一つのコア層を結合するために選択された材料の少なくとも一つの層を備える、請求項８から請求項１３のいずれか一項に記載のコア構造。
【請求項１５】
複数のセキュリティ要素を備える、請求項８から請求項１４のいずれか一項に記載のコア構造。
【請求項１６】
請求項８から請求項１５のいずれか一項に記載のコア構造、および前記第１コア面および／または前記第２コア面を覆う少なくとも一つの追加層を備える、セキュリティシートを形成するためのスタック。
【請求項１７】
前記少なくとも一つの追加層は、少なくとも一つの透明領域であって、当該領域を通じて前記セキュリティ要素の少なくとも一つの第１領域および／または第２領域が前記少なくとも一つの透明領域の反射光で見ることができる、少なくとも一つの透明領域を備える、請求項１６に記載のスタック。
【請求項１８】
前記少なくとも一つの追加層は、前記少なくとも一つの透明領域の外周の少なくとも一部を定める少なくとも一つの不透明領域を備え、当該不透明領域は、前記少なくとも一つの不透明領域の反射光を見たとき、前記セキュリティ要素の少なくとも一つの第１領域および／または第２領域が見えないように妨げる、請求項１６または請求項１７に記載のスタック。
【請求項１９】
プラスチック基材を備えるセキュリティシートであって、前記プラスチック基材は、請求項８から請求項１５のいずれか一項に記載のコア構造、またはともにラミネートされた請求項１６から請求項１８のいずれか一項に記載のスタックを備える、セキュリティシート。
【請求項２０】
請求項１９に記載のセキュリティシートを備えるセキュリティ文書であって、前記セキュリティ文書は、パスポート、運転免許証、証明書、通帳、身分証明書、許可証または小切手帳である、セキュリティ文書。
【発明の詳細な説明】
【技術分野】
【０００１】
本発明は、セキュリティ要素を備えるセキュリティシートの製造方法に関する。本発明はさらに、セキュリティシートを形成するためのコア構造、そのようなコア構造を含むスタック、コア構造またはスタックを備えるセキュリティシート、およびセキュリティシートを備えるセキュリティ文書に関する。
【背景技術】
【０００２】
パスポート、通帳、身分証明書、証明書、許可証、小切手帳およびこれらに類するものなどの、セキュリティ文書および小冊子は一般に、偽造の成功を防ぐために一つ以上のセキュリティシートを備える。セキュリティスレッドは、さらなるセキュリティ機能（特徴）を備えることができるため、セキュリティシートに非常に適しているセキュリティ機能である。さらに、セキュリティスレッドは、偽造のためにそれらを除去するのが難しいように、またはあらゆるそのような除去が文書検査官によって特定できるように、セキュリティシート内にしっかりと埋め込まれる。セキュリティシートが繊維基材または紙で構成されている場合、セキュリティスレッドは一般に、紙製造工程中に少なくとも部分的に埋め込まれる。例えば、国際公開第００／３９３９１号、欧州特許公開第００５９０５６号、国際公開第２００４／００１１３０号に開示されている。また、セキュリティスレッドは、覆われることで「窓化」されることができ、繊維基材の「ブリッジ」による領域で見ることができず、「窓」でさらされることで見ることができる。窓化されたセキュリティスレッドは、繊維基材を破らずに除去することが難しく、偽造のために再現することが難しいため、偽造に対する対抗性を改善する。
【０００３】
セキュリティシートがポリカーボネートなどのプラスチックで構成されている場合、セキュリティスレッドは典型的には、二つのプラスチック層の間に導入され、積層（ラミネート）によってこれらの間に埋め込まれる。セキュリティスレッドは、例えば、欧州特許第２６１１６２２号に開示されているように積層の前にプラスチック層に接着され、または米国特許公開第２０１３／０１１３２０１号に開示されているように積層中に隣接するプラスチック層と結合する外側プラスチック層を備えてもよい。代替的に、セキュリティスレッドは、米国特許公開第２０１４／０１３８４４４号に開示されているように、プラスチック層の一つと一体的に形成されるように共押出されてもよい。しかしながら、セキュリティスレッドの組み込みは、そのような配置では比較的単純であるため、偽造のために再現することは特に難しくない。
【０００４】
加えて、上記方法は、紙のセキュリティシートのようにプラスチックのセキュリティシートに窓開きセキュリティスレッドを提供できない。国際公開第２０１７／０６０６８４号には、プラスチックセキュリティシートの前面と、透明領域または窓を備える内部不透明層との間に広がる透明な領域に配置されたセキュリティスレッドが開示されている。セキュリティシートの後面を見ると、セキュリティスレッドは、不透明層によって見えないように妨げられるが、窓を通じて見ることができる。しかしながら、この場合もやはり、そのような構成は偽造するのは特に難しくない。さらに、部分的に隠すためにセキュリティスレッドの片側に付加的な不透明層が必要なため、美的目的および他のセキュリティ機能に利用できる設計選択を著しく制限する。
【発明の概要】
【０００５】
したがって、本発明の目的は、セキュリティ要素、特にセキュリティスレッドを、偽造防止を向上させたプラスチックセキュリティシート内に確実に組み込む方法を提供することである。さらなる目的は、偽造者による模倣がより困難であるセキュリティシートを提供することである。また、さらなる目的は、プラスチックセキュリティシート内に窓セキュリティ要素を設ける改善した方法を提供することであり得る。
【０００６】
したがって、本発明は、セキュリティシートを製造する方法を提供する。当該方法は、少なくとも一つの穿孔を、プラスチックで構成された少なくとも一つのコア層を、第１コア面から第２コア面へと、通って形成するステップと；セキュリティ要素が少なくとも一つのコア層を、その第１コア面から第２コア面へと、通って延びるように、少なくとも一つの穿孔を通ってセキュリティ要素を供給するステップと；第１コア面の一部の上にセキュリティ要素の少なくとも一つの第１領域を配置し、第２コア面の上にセキュリティ要素の少なくとも一つの第２領域を配置するステップとを含む。
【０００７】
方法は、少なくとも一つのコア層およびセキュリティ要素（すなわちコア構造）、および存在する場合は少なくとも一つの追加層をともにラミネートするステップを含むと好ましい。積層は、偽造者が層を分け、セキュリティ要素を除去または改ざんするのが非常に困難なように、層間の強力な接着を形成する。少なくとも一つのコア層および／または少なくとも一つの追加層と結合するように、したがって強力な接着を形成するように、セキュリティ要素の材料の層が選択された場合、当該困難さは向上する。
【０００８】
方法は、タブとして少なくとも一つの穿孔を形成するステップと、タブの第１コア面の上に第１領域を配置し、タブに隣接する第２コア面の上に第２領域を配置することで、またはその逆に配置することで、前記少なくとも一つの穿孔または前記少なくとも一つの穿孔のそれぞれを２回通って延びるセキュリティ要素を供給するステップとを含むと好ましい。当該配置により、少なくとも一つのコア層の片側から少なくとも一つのコア層内にセキュリティ要素を供給することが可能となる。結果として、セキュリティ要素を少なくとも一つのコア層に挿入する工程は、一連の製造工程でのセキュリティ要素の一連のラインを用いて実行され得、したがって製造速度が非常に向上する。
【０００９】
本発明はさらに、セキュリティシートを形成するためのコア構造を提供する。当該コア構造は、プラスチックで構成され、第１コア面および第２コア面、並びに少なくとも一つの穿孔を含む少なくとも一つのコア層と；第１コア面から第２コア面へと少なくとも一つのコア層の少なくとも一つの穿孔を通って供給されて延び、第１コア面の一部を覆う少なくとも一つの第１領域および第２コア面の一部を覆う少なくとも一つの第２領域を備えるセキュリティ要素とを備える。
【００１０】
本発明はさらに、セキュリティシートを形成するためのスタックを提供する。当該スタックは、本明細書に開示されているコア構造、および第１コア面および／または第２コア面を覆う、プラスチックで構成された少なくとも一つの追加層を備える。好ましくは、少なくとも一つの追加層は、少なくとも一つの透明領域を備え、当該領域を通じてセキュリティ要素の少なくとも一つの第１領域および／または第２領域が少なくとも一つの透明領域の反射光で見ることができる。少なくとも一つの追加層は、コア構造から、および存在する場合、他の追加層から延びるヒンジ部を備えると好ましい。
【００１１】
本発明はさらに、セキュリティシートを提供する。当該セキュリティシートは、本明細書において開示されたコア構造またはスタックを備え、コア構造またはスタックは、ともにラミネートされている。好ましくは、プラスチック基材は、第１外表面および第２外表面を備え、セキュリティ要素の少なくとも一つの第１領域は、第２外表面の反射光で見ることができず、および／またはセキュリティ要素の少なくとも一つの第２領域は、第１外表面の反射光で見ることができない。
【００１２】
本発明はさらに、セキュリティシートを提供する。当該セキュリティシートは、第１外表面と第２外表面との間に延びているプラスチック基材と；プラスチック基材を通って延び、第１外表面から第１距離に少なくとも一つの第１領域、および第１外表面から第２距離に少なくとも一つの第２領域を備えるセキュリティ要素とを備え、第１距離と第２距離は異なっている。セキュリティ要素の少なくとも一つの第１領域および少なくとも一つの第２領域は、セキュリティ要素の少なくとも一つの第３領域によって接続されると好ましい。少なくとも一つの第１領域および第２領域は、第１外表面および第２外表面と実質的に平行であると好ましい。少なくとも一つの第３領域は、第１外表面および第２外表面と実質的に非平行であると好ましい。プラスチック基材は、ともにラミネートされた複数のプラスチック層を備えると好ましい。セキュリティ要素の少なくとも一つの第１領域および／または第２領域は、セキュリティ要素がプラスチック基材内に埋め込まれるように第１外表面および第２外表面から離間されていると好ましい。
【００１３】
本発明はさらに、本明細書に開示されているセキュリティシートを備えるセキュリティ文書を提供する。セキュリティ文書は、パスポート、運転免許証、証明書、通帳、身分証明書、許可証または小切手帳であってもよい。本発明はさらに、本明細書に開示されている複数のセキュリティ文書を提供し、各セキュリティ文書のセキュリティシート上の個人情報は、他のセキュリティ文書のセキュリティシート上の個人情報と異なる。
【００１４】
セキュリティ要素が、少なくとも一つのコア層を通って延び、および／または長さに沿って変更可能な距離でプラスチック基材内に埋め込まれているため、実質的に機械的にそこにロックされ、したがって、偽造者が除去するのは非常に困難である。あらゆる除去は、少なくとも一つのコア層、セキュリティ要素および／またはプラスチック基材の破壊を生じる可能性が高い。さらに、セキュリティシートの製造の複雑さが向上し、したがって、偽造者による模倣しようとする試みを阻止する。
【００１５】
好ましい実施形態において、少なくとも一つのコア層の少なくとも一部は、セキュリティ要素の少なくとも一つの第１領域および／または第２領域に隣接して、不透明である。結果として、少なくとも一つの第１領域は、第２コア面（または第２外表面）の反射光で見ることができず、および／または少なくとも一つの第２領域は、第１コア面（または第１外表面）の反射光で見ることができない。少なくとも一つのコア層の不透明領域は、セキュリティ要素が第１コア面および第２コア面並びに第１外表面および第２外表面での反射光で見えないように部分的に妨げ、したがってウインドウ効果を生じる。例えば、第１コア面または第１外表面が見えたとき、複数の第１領域（すなわち、紙の窓スレットの窓に対応する）は、それらの間の少なくとも一つのコア層で形成された間隙（すなわち、紙の窓スレッドのブリッジに対応する）で見ることができてもよい。第１領域の間の第２領域は、不透明領域によって第１コア面または第１外表面で見えないように妨げられる。結果として、本発明は、プラスチックシートにウインドウ効果を提供する効果的な方法を提供する。加えて、偽造者による模倣の複雑さは、ウインドウ効果によって向上し、美的効果が改善する。さらに、セキュリティ要素は、第１コア面若しくは外表面または第２コア面若しくは外表面が透過光（すなわち、コア構造またはセキュリティシートを通過して目に入る光）で見えたとき、第１コア面または第２コア面で見ることができてもよい。
【００１６】
好ましくは、少なくとも一つの穿孔は、少なくとも一つのコア層であらかじめ形成、切断、押し抜きおよび／または打ち抜きされる。好ましくは、セキュリティ要素は、少なくとも一つの穿孔を通って延びるように供給される。
【００１７】
セキュリティ要素は、細長セキュリティスレッドであると好ましい。しかしながら、セキュリティ要素は、代替的に、セキュリティパッチ、ホイルまたは実質不透明体などを備えてもよい。さらに、コア構造は、複数のセキュリティ要素を備えてもよく、それぞれは、少なくとも一つのコア層を通って第１コア面から第２コア面へと延び、第１コア面の一部を覆う少なくとも一つの第１領域、および第２コア面の一部を覆う少なくとも一つの第２領域を備える。
【図面の簡単な説明】
【００１８】
本発明によるコア構造、スタック、セキュリティシート、セキュリティ文書および製造方法の実施形態は、単なる例示目的で、添付図面を参照して、添付図面に示されているように、記載されている。
【００１９】
【図１Ａ】図１Ａは、本発明によるセキュリティシートを製造する方法でコア構造を形成するためのコア層の平面図である。
【図１Ｂ】図１Ｂは、コア層に挿入されているセキュリティ要素を示す図１Ａのコア層の平面図である。
【図１Ｃ】図１Ｃは、コア層および図１Ｂのセキュリティ要素を備えるコア構造の平面図である。
【図１Ｄ】図１Ｄは、図１Ｃのコア構造の位置Ａ−Ａでの断面側面図である。
【図２Ａ】図２Ａは、本発明によるセキュリティシートを製造する方法でコア構造を形成するためのコア層のさらなる実施形態の平面図である。
【図２Ｂ】図２Ｂは、図２Ａのコア層に配置されたセキュリティ要素を備えるコア構造の平面図である。
【図３】図３は、本発明によるセキュリティシートを製造する方法で形成されたコア構造のさらなる実施形態の平面図である。
【図４Ａ】図４Ａは、本発明の方法によるセキュリティシート用のプラスチック基材を形成するための層のスタックの断面側面図である。
【図４Ｂ】図４Ｂは、位置Ｂ−Ｂでの図４Ａのスタックによって形成されたプラスチック基材の断面側面図である。
【図４Ｃ】図４Ｃは、図４Ｂのプラスチック基材の第１外表面の平面図である。
【図４Ｄ】図４Ｄは、図Ｂプラスチック基材の第２外表面の平面図である。
【発明を実施するための形態】
【００２０】
本開示によるセキュリティシートの製造方法は、概して、セキュリティ要素を有するコア構造を形成することを含む。少なくとも一つの追加層が、スタックにコア構造の片側または両側に付けられてもよい。セキュリティシートは、コア構造および／または少なくとも一つの追加層をラミネート（積層）することで、プラスチック基材で形成される。セキュリティシートは、その後、セキュリティ文書に形成し、および／または組み込まれてもよい。
【００２１】
図１Ａから図１Ｄは、少なくとも一つのコア層１２および埋め込まれたセキュリティ要素１１（この例ではセキュリティスレッド）を備えるコア構造１０の実施形態を示す。少なくとも一つのコア層１２は、対向する第１コア面１３および第２コア面１４を備える。これは、示されているように単一コア層１２の表面１３、１４であってもよく、または複数のコア層１２の外側層の外表面であってもよい。少なくとも一つのコア層１２は、プラスチックで構成されている。少なくとも一つのコア層１２は、第１コア面１３と第２コア面１４との間に厚みを有し、第１幅１５および垂直な方向の第２幅１６にわたって延びている。
【００２２】
少なくとも一つの穿孔２０が、少なくとも一つのコア層１２の厚みを通じて第１コア面１３から第２コア面１４へと延びて、少なくとも一つのコア層１２に形成されている。隣接する穿孔２０は、第１コア面１３および第２コア面１４に沿って間隙によって分けられた位置にある。少なくとも一つの穿孔２０または少なくとも一つの穿孔２０のそれぞれは、接続２２で少なくとも一つのコア層１２の残りに取り付けられたタブ２１を定めることが好ましい。これはタブ２１のヒンジまたは枢動点として動作する。タブ２１またはタブ２１のそれぞれは接続２２から第２幅１６と平行な方向に延びている。
【００２３】
セキュリティ要素１１は、少なくとも一つのコア層１２を通じて、各少なくとも一つの穿孔２０を通じて、第１コア面１３から第２コア面１４へと延びている。セキュリティ要素１１はそれによって、第１コア面１３の一部を覆う少なくとも一つの第１領域１７、および第２コア面１４の一部を覆う少なくとも一つの第２領域１８を備える。セキュリティ要素１１はさらに、少なくとも一つのコア層１２を通じて延び、第１領域１７と第２領域１８を接続している少なくとも一つの第３領域１９を備える。
【００２４】
セキュリティ要素１１は、実施形態に示されているように複数の第１領域１７、第２領域１８および第３領域１９を備えることが好ましい。セキュリティ要素１１は、複数の位置で、各穿孔２０で、少なくとも一つのコア層１２を通って延び、隣接する位置の間に、第１コア面１３の一部を覆う第１領域１７または第２コア面１４の一部を覆う第２領域１８を備える。したがって、セキュリティ要素１１は、各穿孔２０のいずれかの側で交互配置で第１コア面１３と第２コア面１４を覆う。具体的には、セキュリティ要素１１の長さに沿った方向で、第１領域１７が第１コア面１３上に延び、第３領域１９がコア層１２の厚みを通って延び、第２領域１８が第２コア面１４上に延び、第３領域１９がコア層１２の厚みを通って延び、などである。
【００２５】
示されている実施形態において、少なくとも一つの穿孔２０は、タブ２１を備え、穿孔２０または穿孔２０のそれぞれは、少なくとも一つのコア層１２を通るようにセキュリティ要素１１用の二つの位置を定め、セキュリティ要素１１は、穿孔２０を２度通って延びる。セキュリティ要素１１の第１領域１７は、タブ２１に隣接するおよび／またはタブ２１間にある第１コア面１３の少なくとも一部を覆う。セキュリティ要素１１の第２領域１８は、タブ２１の第２コア面１４の少なくとも一部を覆う。代替的に、第１領域１７は、タブ２１の第１コア面１３の少なくとも一部を覆い、第２領域１８は、タブ２１に隣接するおよび／またはタブ２１間にある第２コア面１４の少なくとも一部を覆う。
【００２６】
図２Ａおよび図２Ｂは、コア構造１０および少なくとも一つのコア層１２のさらなる実施形態を示し、少なくとも一つの穿孔２０は、スロット２３を備える。セキュリティ要素１１は、各スロット２３を通って延び、スロット２３の片側で第１コア面１３を、スロット２３の反対側で第２コア面１４を覆う。
【００２７】
図３に示されているさらなる実施形態において、少なくとも一つのコア層１２は、複数の当接または隣接する細長片２５を備える。少なくとも一つの穿孔２０は、隣接する細長片２５の当接エッジから形成され、セキュリティ要素１１は、当接エッジ間で少なくとも一つのコア層１２を通って延びる。結果として、セキュリティ要素１１は、一つの細長片２５の第１コア面１３上と、隣接する細長片２５の第２コア面１４上とに延び、またはその逆側に延びている。
【００２８】
図４Ａに示すように、スタック２９は、少なくとも一つの追加層３０、３１、３２、３３、３４、３５をコア構造１０の第１コア面１３および第２コア面１４の一方または両方上に配置することで形成されている。少なくとも一つの追加層３０、３１、３２、３３、３４、３５は、プラスチックで構成されることが好ましい。図４Ｂから図４Ｄに示すように、プラスチック基材４０は、コア構造１０と少なくとも一つの追加層３０、３１、３２、３３、３４、３５を互いにラミネートすることで形成されている。他の実施形態では、プラスチック基材４０は、コア構造１０単独でラミネートすることで形成されてもよい。スタック２９およびプラスチック基材４０は、少なくとも一つの追加層３０、３１、３２、３３、３４、３５および／またはコア構造１０の最外表面によって形成された第１外表面４１および第２外表面４２を備える。スタック２９および薄板を形成および方法は、以下でさらに詳細に記載されている。
【００２９】
少なくとも一つの追加層３２は、示すように、ヒンジ部３６および取り付け部３７を備えるヒンジ層３２であってもよい。取り付け部３７は、スタック２９内に配置され、少なくとも部分的に残りの追加層３０、３１、３３、３４、３５およびコア構造１０と重なり、積層後にプラスチック基材４０内でヒンジ層３２を固定する。したがって、ヒンジ部３６は、スタック２９およびプラスチック基材４０の主本体から延び、プラスチック基材４０をセキュリティ文書内に取り付けることができる。示されている実施形態では、ヒンジ層３２は、第２コア面１４に隣接して配置され、第２コア面１４を覆っているが、スタック２９内の任意の適切な位置に配置されてもよい。
【００３０】
プラスチック基材４０および少なくとも一つの追加層３０、３１、３２、３３、３４、３５は、少なくとも一つの実質透明領域４３、４４を備えることが好ましい。当該領域を通じて、セキュリティ要素１１の少なくとも一つの第１領域１７および／または第２領域１８は、少なくとも一つの透明領域４３、４４の反射光で見ることができる。したがって、少なくとも一つの実質透明領域４３、４４は、少なくとも一つの第１領域１７および／または第２領域１８と第１外表面４１および／または第２外表面４２との間に延びることが好ましい。
【００３１】
第１透明領域４３は、第１領域１７全てが第１外表面４１の反射光で見ることができるように、または第２領域１８全てが第２外表面４２の反射光で見ることができるように、セキュリティ要素１１全体を覆うことができる。実施形態に示されているように、第１透明領域４３は、第１コア面１３を覆い、第１外表面４１に延び、それによって第１外表面４１を形成する、一つ以上の第１透明追加層３０、３１で形成されてもよい。
【００３２】
第２透明領域４４は、セキュリティ要素１１の一部を覆って窓を形成し、当該窓を通じて、セキュリティ要素１１の一部は、第２透明領域４４の反射光で見ることができる。具体的には、セキュリティ要素１１の第１領域１７または第２領域１８の少なくとも一つの少なくとも一部は、第２透明領域４４で見ることができる。第２透明領域４４は、示されているように、第２透明領域４４の外周の少なくとも一部を定める少なくとも一つの不透明領域４６を備える少なくとも一つの窓層３３で形成されると好ましい。不透明領域４６は、そこからの反射光を見たとき、コア構造１０が見えないように部分的に妨げる一方、第２透明領域４４は、示されている実施形態では、少なくとも一つの第２領域１８が見えるようにする。示されている実施形態では、第２透明領域４４は、また、ヒンジ層３２の透明取り付け部３７を備える。ヒンジ層は、少なくとも一つの窓層３３とコア構造１０との間に配置されている。また、第２透明領域４４は、少なくとも一つの窓層３３を覆い、第２外表面４２に延び、それによって第２外表面４２を形成する、一つ以上の第２透明追加層３４、３５を備える。しかしながら、ヒンジ層３２および／または一つ以上の透明追加層３４、３５は、存在する必要はなく、少なくとも一つの窓層３３が第２コア面１４を直接覆ってもよい。
【００３３】
好ましい実施形態において、少なくとも一つのコア層１２の少なくとも一部は、第２コア面１４の反射光で少なくとも一つの第１領域１７が見えないように、および／または第１コア面１３の反射光で少なくとも一つの第２領域１８が見えないように、セキュリティ要素１１の少なくとも一つの第１領域１７および／または第２領域１８に隣接して、不透明である。その結果、反射光を見たとき、少なくとも一つのコア層１２は、セキュリティ要素１１のウインドウ効果（該当箇所が強調される効果）を引き起こす。図４Ａから図４Ｄの実施形態において、少なくとも一つのコア層１２は、コア構造１０、スタック２９およびプラスチック基材４０の実質的に全ての第１幅１５と第２幅１６にわたって、不透明である。コア構造１０が複数のコア層１２を備える場合、一つ以上のコア層１２のみが少なくとも部分的に不透明であってもよい。
【００３４】
少なくとも一つの透明領域４３、４４の配置は、第１外表面４１または第２外表面４２からの反射光で見ることができる第１領域１７または第２領域１８を制御する。少なくとも一つのコア層１２は少なくとも部分的に不透明である。実施形態で示されているように、セキュリティ要素１１の第１領域１７のみが、第１透明領域４３で第１外表面４１から、当該第１領域の反射光を見たとき、見ることができる。第２透明領域４４と重なっている第２領域１８またはその一部のみが、第２外表面４２から、当該第２領域の反射光を見たとき、見ることができる。しかしながら、少なくとも一つのコア層１２が透明な場合、セキュリティ要素１１の第１領域１７および第２領域１８は、第１透明領域４３を通じて第１外表面４１から全て見ることができる。第２透明領域４４と重なっている全ての第１領域１７および第２領域１８は、第２透明領域４４を通じて第２外表面４２から見ることができる。
【００３５】
さらに、セキュリティ要素１１は、コア構造１０、セキュリティシートおよび／またはプラスチック基材４０が反射光で見えたとき、少なくとも部分的に見えることが好ましい。第１外表面４１または第２外表面４２で反射光で見ることができないセキュリティシート１１の第１領域１７または第２領域１８は、第１外表面４１または第２外表面４２で透過光で見ることができてもよい。例えば、第１領域１７は、第２外表面４２の反射光で見ることができない。しかしながら、第２外表面４２が第１外表面４１から発せられた光で、プラスチック基材４０を通じて、第２外表面４２を通じて、観察者の目で見えるとき、第１領域１７は、見ることができてもよい。例えば、セキュリティ要素１１は、図１Ｃ、２Ｂ、３、４Ｃおよび４Ｄの図において破線で示すようなシルエットとして見ることができてもよい。
【００３６】
複数のプラスチック層１２、３０、３１、３２、３３、３４、３５をラミネートして得られるプラスチック基材４０は実質的に均一で、少なくとも一つのコア層１２と少なくとも一つの追加層３０、３１、３２、３３、３４、３５との間に解像度の変化を殆どまたは全く生じることがない。プラスチック基材４０において、セキュリティ要素１１は、第１外表面４１または第２外表面４２からの距離が異なる。図４Ｂに示すように、少なくとも一つの第１領域１７は、第１外表面４１から第１距離Ｄ１の位置にあり、少なくとも一つの第２領域１８は、第１外側外表面４１から第２距離Ｄ２の位置にある。第１距離Ｄ１と第２距離Ｄ２は異なっており、具体的には、第１距離は、少なくとも一つの第１領域１７が少なくとも一つの第２領域１８よりも第１外表面４１に近いため、第２距離よりも短い。第１外表面４１の代わりに、第２外表面４２など任意の代替的な基準点が使用されてもよいことが分かるだろう。
【００３７】
さらに、示されているプラスチック基材４０において、セキュリティ要素１１の第１領域１７および第２領域１８は、セキュリティ要素１１が実質的に完全にプラスチック基材４０内に埋め込まれるように（セキュリティ要素１１の端部は、プラスチック基材４０の縁で少なくとも部分的に露出されるが）、第１外表面４１および第２外表面４２から完全に離間している。概して、好ましくは、少なくとも一つの第１領域１７および／または第２領域１８は、第１外表面４１および／または第２外表面４２から離間しており、したがって、偽造者がプラスチック基材４０の少なくとも一部を破壊せずに少なくともセキュリティ要素１１の一部に接触できないように、プラスチック基材４０に埋め込まれている。当該離間は、コア構造１０を覆う少なくとも一つの追加層３０、３１、３２、３３、３４、３５が存在することで得られる。しかしながら、代替的な実施形態において、プラスチック基材４０は、セキュリティ要素１１が第１外表面４１および／または第２外表面４２で露出されるように、コア構造１０の第１コア面１３と第２コア面１４両方の一方に追加層３０、３１、３２、３３、３４、３５を備えなくてもよい。したがって、追加層３０、３１、３２、３３、３４、３５がない場合、第１距離Ｄ１はゼロである一方、第２距離Ｄ２はコア構造１０の厚みである。
【００３８】
プラスチック基材４０において、セキュリティ要素１１の少なくとも一つの第１領域１７および第２領域１８は、第１外表面４１および第２外表面４２と実質的に平行に延びている。少なくとも一つの第３領域１９は、第１外表面４１および第２外表面４２と実質的に非平行である。具体的には、少なくとも一つの第３領域１９において、セキュリティ要素１１は、穿孔２０を通って延びているため、第１外表面４１および第２外表面４２と実質的に直角に延びている。
【００３９】
プラスチック基材４０、少なくとも一つのコア層１２、および（存在する場合）追加層３０、３１、３２、３３、３４、３５を形成するプラスチックは、ポリカーボネート、ポリエステル、ポリエチレン、ポリプロピレンまたはポリ塩化ビニルなどの、熱可塑性ポリマであってもよい。ポリカーボネートは、耐久性が高く、製造が容易であり、セキュリティ機能を内部に組み込むことが容易であるため、特に適している。プラスチック基材４０は、実質的に剛体または少なくとも半剛体であることが好ましく、これは、構成層１２、３０、３１、３２、３３、３４、３５の厚みの結果であることが好ましい。少なくとも一つのコア層１２および少なくとも一つの追加層３０、３１、３２、３３、３４、３５のそれぞれ約０．０５ｍｍから約３ｍｍの厚みであってもよい。プラスチック基材４０の厚みは、第１外表面４１と第２外表面４２の間の距離であり、少なくとも約１５０μｍあることが好ましく、少なくとも約３００μｍあるとより好ましい。具体的には、プラスチック基材４０は、約３００μｍから１０００μｍの間の厚みであってもよく、例えば、約３００μｍの厚み、または約８００μｍの厚みであってもよい。
【００４０】
コア構造１０および／またはスタック２９を形成する方法、並びにその後のそれらの積層は、国際公開第２０１７／０６０６８４号、国際公開第２０１７／０６０６８８号、国際公開第２０１５／１０４０１１号、米国特許第６６６９８１３号、および米国特許公開第２０１１／０２２６４０８号の方法に類似する、実質的に連続且つインライン方法に基づくことが好ましい。コア構造１０は、少なくとも第１のコア層１２を最初に形成し、次にその中にセキュリティ要素１１を挿入することで、分けて形成されてもよい。コア構造１０が複数のコア層１２を備える場合、コア層は、セキュリティ要素１１のコア層への挿入前または挿入後にともにラミネートされてもよい。少なくとも一つの穿孔２０は、少なくとも一つのコア層１２を切断、打ち抜きまたは押し抜きすることで形成されると好ましい。
【００４１】
セキュリティ要素１１は、好ましくは、図１Ｂおよび図１Ｃに示されているように、第１コア面１３で第１幅１５に平行に延びて配置された後、少なくとも一つの穿孔２０に挿入され、縫うように通され、または入れられる。好ましくは、セキュリティ要素１１は、第１コア面１３上で接続２２に対してタブ２１を上げるまたは回転させることで、各タブ２１の下に置かれる（すなわち、各タブ２１の第２コア面１４の下に置かれる）。
【００４２】
図２Ａおよび図２Ｂの実施形態では、セキュリティ要素１１は、連続的に各スロット２３に入れられ、また縫うように通されている。当該配置は、図１Ａから図１Ｄの実施形態と比べて、セキュリティ要素１１を連続的に各スロット２３に入れるためにより複雑な機械を必要とする場合があるが、スロット２３により、各タブ２１を回転させてその下にセキュリティ要素１１を合わせるための機械が不要になる。図３の実施形態では、細長片２５は、セキュリティ要素１１をそこに入れる前に又は入れた後に、互いに隣接するように置かれてもよい。
【００４３】
また、少なくとも一つの追加層３０、３１、３２、３３、３４、３５は、互いに重なる前にコア構造１０とは独立して形成される。例えば、ヒンジ層３２は、取り付け部３７に埋め込まれたヒンジ部３６で形成されてもよい。また、第２透明領域４４および少なくとも一つの不透明領域４６は、国際公開第２０１７／０６０６８４号および国際公開第２０１７／０６０６８８号に記載されているように形成されてもよい。具体的には、第２透明領域４４は、不透明プラスチック層の対応形成開口内に配置された透明挿入物から形成される。好ましくは、開口と挿入物は、インラインの単一押し抜き機械によって、整列して、形成されて置かれる。
【００４４】
スタック２９は、層１２、３０、３１、３２、３３、３４、３５の一つ以上を互いに逐次重ねて形成されてもよい。複数の少なくとも一つの追加層３０、３１、３２、３３、３４、３５がまず互いに重ねられ、コア構造１０がその上に配置され、追加層３０、３１、３２、３３、３４、３５の残りがコア構造１０の上に重ねられてもよい。しかしながら、層１２、３０、３１、３２、３３、３４、３５は、供給ロールまたはこれに類するものに取り付けられてもよく、スタック２９は、積層と実質的に同時にまたはその直前に、ともに置かれてもよい。当該配置は、国際公開第２０１７／０６０６８４号および国際公開第２０１７／０６０６８８号に開示されている。
【００４５】
積層中、ラミネータは、熱および圧力を与えることで層１２、３０、３１、３２、３３、３４、３５をともに結合させ、プラスチック基材４０を形成する。ラミネータは、一連の加熱冷却装置間で層１２、３０、３１、３２、３３、３４、３５を引くための連続ベルトを備えることが好ましい。加熱工程中、層１２、３０、３１、３２、３３、３４、３５のそれぞれは、プラスチックが流れ、接触面にわたってともに混ざるように少なくとも軟化しまたは半溶融状になり、したがって実質的に単一のプラスチック基材４０を形成する。そのような結合を実現するために、加熱装置は、層１２、３０、３１、３２、３３、３４、３５に与えられる温度および圧力を上昇させ、プラスチックの軟化点に至る。適切な方法は、国際公開第２０１７／０６０６８４号および国際公開第２０１７／０６０６８８号に開示されている。
【００４６】
プラスチック基材４０がラミネータから出てきた後、複数のセキュリティシートへと切断される。各セキュリティシート自体が、セキュリティ文書（例えば許可証）を形成してもよく、またはセキュリティ文書の一部（例えばパスポート内）を形成してもよい。セキュリティ文書は、セキュリティシートを有する任意の適切な類いのものであってもよく、紙幣、身分証明カードおよび運転免許証などのカード、並びにパスポート、通帳、身分証明書、証明書、許可証および小切手帳などの小冊子を含む。小冊子の場合、セキュリティシートは、ヒンジ部３６をカバーまたは一つ以上の紙またはポリマリーフに縫い付けることで、小冊子内に取り付けられてもよい。
【００４７】
セキュリティ文書の所有者に関する個人情報は、好ましくはレーザマーキングによって、セキュリティシートまたはプラスチック基材４０に付けられることが好ましい。個人情報は典型的には、セキュリティシートの形成後に付けられるが、積層前に層１２、３０、３１、３２、３３、３４、３５の一つに印刷されまたはマークを付けられるなど、形成前に付けられてもよい。当該個人情報は、「可変データ」または「個人データ」として知られ、典型的には、発行機関によって発行された二つのセキュリティシートまたはセキュリティ文書に同じ個人情報が含まれることはない。国際民間航空機関（ＩＣＡＯ）から発行されたドキュメント９３０３（Ｄｏｃｕｍｅｎｔ９３０３）の第７版（２０１５年）（「機械可読旅行文書」）には、そのような個人データが記載されている。個人情報は典型的には、所有者の画像、所有者の名前、国籍および生年月日を提供する文章、並びに機械可読データを包含する機械可読領域を含む。
【００４８】
また、上述されたものの様々な代替物が本発明の範囲に含まれる。示されている実施形態では、セキュリティ要素１１が少なくとも一つのコア層１２を通って延びている位置は、不規則に離間している。しかしながら、他の実施形態において、配置は、少なくとも一つの第１領域１７が少なくとも一つの第２領域１８と実質的に同じ大きさであるように均等に離間されてもよい。
【００４９】
示されている実施形態のように、セキュリティ要素１１は、当業者に周知のいくつかの形状を有する実質的に連続したセキュリティスレッドであってもよく、不浸透性材料の細長片、帯またはリボンを備えてもよい。セキュリティスレッドは、セキュリティシートおよびプラスチック基材４０の対向する縁の間に延びていてもよい。セキュリティスレッドは、１１μｍから２５μｍの間の厚みであることが好ましく、約２ｍｍから約２０ｍｍの間の幅であることが好ましい。
【００５０】
セキュリティ要素１１は代替的に、個別の帯、パッチ、ホイル、不透明体または不浸透部材を備えてもよい。具体的には、連続するセキュリティスレッドを形成するのではなく、セキュリティ要素１１は、プラスチック基材４０の縁の内側に一つ以上の端部を有する個別の帯またはスレッドを備えてもよい。セキュリティ要素１１は、第１領域１７が第１コア面１３を覆う一方、第２領域１８が第２コア面１４を覆うように比較的大きな穿孔２０を通るパッチであってもよい。
【００５１】
セキュリティ要素１１用の適切な材料は、ポリカーボネート、ポリエチレンテレフタレート（ＰＥＴ）、延伸ポリプロピレン（ＯＰＰ）、ポリエチレン（ＰＥ）、またはポリケトン（ＰＫ）を含む。セキュリティ要素１１は、積層中に少なくとも一つのコア層１２および／または追加プラスチック層３０、３１、３２、３３、３４、３５を結合して強力な接着を形成するために選択された材料の少なくとも一つの層を備えることが好ましい。具体的には、材料の少なくとも一つの層は、ポリカーボネートなど、少なくとも一つのコア層１２および／または追加プラスチック層３０、３１、３２、３３、３４、３５の材料と同じであってもよい。セキュリティ要素１１は、少なくとも一つの第１領域１７、第２領域１８および／または第３領域１９内にまたはその長さに沿って連続して配置された、隠されたまたは公然のセキュリティ装置をさらに備えてもよい。異なるセキュリティ装置は、異なるセキュリティ装置が同じまたは反対側の外表面４１、４２にて異なる「窓」で見ることができるように、異なる少なくとも一つの第１領域１７、第２領域１８および／または第３領域１９に配置されてもよい。セキュリティ装置は、少なくとも一つの第１領域１７、第２領域１８および第３領域１９でセキュリティ要素１１に沿って延びる連続するパターンであってもよい。適切な公然の機能は、非金属パターン、マイクロテキスト、細線パターン、潜像、ベネチアンブラインド装置、レンズ状装置、モアレ干渉装置およびモアレ拡大、ホログラムおよび他の回折に基づいた装置、傾けることで色が変わるインク、および／または発光インク若しくは蛍光インクなどの、紙の紙幣に窓セキュリティスレッドで一般的に使用されるものを含む。隠された機能は、肉眼によって可視光では見ることができないが、機械で読み取る、または肉眼によって他の種類の光でみることができる。例えば、セキュリティ要素１１は、（暗号化され得る）磁気、蛍光および燐光を含む発光、または伝導性の少なくとも一つから選択された性質を有する、少なくとも一つの第１領域１７、第２領域１８および／または第３領域１９を備えてもよい。当該公然または隠された機能は、ロゴ、シンボル、印または他の認証可能な形状として設けられてもよい。
【００５２】
セキュリティ要素１１の特定の実施形態において、少なくとも一つの透明層、および透明層を覆う少なくとも一つの不透明層を備える。ロゴ、シンボル、印または英数字などを形成する、少なくとも一つの透明領域は、少なくとも一つの不透明層で形成されてもよい。したがって、少なくとも一つの透明領域は、少なくとも一つの不透明層の残りのシルエットによって囲われた光領域として、透過光で見ることができる。特定の実施形態では、少なくとも一つの不透明層は、金属層を備え、少なくとも一つの透明領域は、非金属領域である。
【００５３】
コア構造１０、プラスチック基材４０および／またはセキュリティシートは、複数のセキュリティ要素１１を備えてもよく、その少なくとも一つは、本明細書に開示されているように埋め込まれている。また、セキュリティ要素１１は、特にセキュリティスレッドではない場合、本明細書に開示されているように平行ではなく、第１幅１５と鋭角をなして延びてもよい。例えば、セキュリティパッチは、任意の適切な方向に配置されてもよい。
【００５４】
プラスチック基材４０および一つ以上の層１２、３０、３１、３２、３３、３４、３５は、そこに埋め込まれた、またはその上に配置された少なくとも一つのさらなるセキュリティ装置を備えてもよい。図形情報、色および／またはパターンは、積層前またはその後に、層１２、３０、３１、３２、３３、３４、３５の外表面に印刷されてもよい。また、電子チップおよびアンテナなどが、プラスチック基材４０内に配置されてもよく、ヒンジ層３２内に配置されることが好ましい。少なくとも一つのセキュリティ装置は、例えば、レーザマーキング、印刷されたインク、ホログラム、光学的変化機能、窓または透明機能、ＵＶ反応機能およびレーザ穿孔などを備えてもよい。少なくとも一つのセキュリティ装置は、少なくとも一つの透明領域４３、４４内に配置されていることにより反射光で見えたときに見ることができてもよい。代替的に、少なくとも一つのセキュリティ装置は、少なくとも一つの不透明コア層１２および／または窓層３３の透明領域４６内に配置されるなどにより隠されていてもよく、そのため、反射光で見えるとき、見ることができない。
【００５５】
コア構造１０は、セキュリティ要素１１を少なくとも一つのコア層１２内に埋め込むために、実質的にラミネートされていると好ましい。セキュリティ要素１１および少なくとも一つのコア層１２の材料は、同じ材料を備えるなどにより、積層の間にともに結合できるように且つそれらの間の強力な接着が形成されるように選択されてもよい。セキュリティ要素１１および少なくとも一つのコア層１２は、代替的にまたは付加的に、接着によってともに固定されてもよく、これは、少なくとも一つのコア層１２内に配置される前にセキュリティ要素１１の少なくとも一つの面に沿って設けられてもよい。
【図１Ａ】
2020535988.tif 000003
【図１Ｂ】
2020535988.tif 000004
【図１Ｃ】
2020535988.tif 000005
【図１Ｄ】
2020535988.tif 000006
【図２Ａ】
2020535988.tif 000007
【図２Ｂ】
2020535988.tif 000008
【図３】
2020535988.tif 000009
【図４Ａ】
2020535988.tif 000010
【図４Ｂ】
2020535988.tif 000011
【図４Ｃ】
2020535988.tif 000012
【図４Ｄ】
2020535988.tif 000013
【国際調査報告】
2020535988.tif 000014
2020535988.tif 000015